(57)【特許請求の範囲】
【請求項１】
前段にフォーカス光学系のレンズが配置される変倍系レンズ群を保持すると共に、固定筒内で光軸方向に移動可能に支持されたレンズ枠であって、光軸に直交する円環状の円環面と、該円環面よりも光軸方向の被写体側となる前側に突出した円筒状の円筒部とを有し、前記円筒部内にレンズを保持するレンズ枠と、前記円環面に配置される遮光性を有する化粧板とを備えたレンズ鏡筒において、
前記化粧板は、
前記レンズ枠の円環面に配置される円環状の円環枠部と、
前記円環枠部から延設され、前記レンズ枠の円筒部の外周面を覆う円筒枠部と、
前記円筒枠部から前記円筒枠部の中心軸側に向けて延設され、前記円筒部の前端よりも被写体側において光軸と略直交する方向に配置される円環状の前端枠部と、
を備え、
前記化粧板の前端枠部は、前記レンズ枠に保持されるレンズの最も被写体側に配置される第１レンズ面と、該第１レンズ面よりも被写体側に配置される前記フォーカス光学系のレンズの凹状の第２レンズ面との最小となる光軸方向の間隔よりも、前記化粧板の前端枠部と前記第２レンズ面との光軸方向の間隔が狭くなる位置に配置されること、
を特徴とするレンズ鏡筒。
【請求項２】
前記円筒枠部と前記前端枠部との連結部分は、曲面形状で形成されたことを特徴とする請求項１のレンズ鏡筒。
【請求項３】
前記レンズ枠に保持される最も被写体側のレンズは、前記レンズ枠の前端における熱カシメにより前記レンズ枠に固定され、該熱カシメの部分に入射する光が前記化粧板の前端枠部により遮断されることを特徴とする請求項１又は２のレンズ鏡筒。
【請求項４】
前記化粧板は、前記円環枠部の後面と前記レンズ枠の円環面とを接着剤又は両面テープにより接着することにより前記レンズ枠に装着されることを特徴とする請求項１、２、又は、３のレンズ鏡筒。
【発明の詳細な説明】
【技術分野】
【０００１】
本発明はレンズ鏡筒に係り、特にレンズ鏡筒内においてレンズを保持するレンズ枠に装着される化粧板（遮光板）を備えたレンズ鏡筒に関する。
【背景技術】
【０００２】
放送用又は業務用のテレビカメラや市販のビデオカメラ等に使用されるレンズ鏡筒において、被写体を結像する光学系を構成する各レンズは、１又は複数のレンズからなるレンズ群ごとにレンズ枠に保持されて固定筒内に配置されている。そして、所定のレンズ枠を光軸方向に移動させるための駆動機構を有し、そのレンズ枠に保持されたレンズ群を光軸方向に移動させることによって、フォーカス調整やズーム調整を行なうことができるようになっている。
【０００３】
また、レンズ枠は、有効光線から外れた迷光等を反射して像上にゴーストやフレア等を発生させる原因となるため、そのような原因となり得るレンズ枠の被写体側（前側）の面（前面）に遮光板が取り付けられることが行なわれている（例えば、特許文献１参照）。
【０００４】
また、特許文献２、３に示されたレンズ鏡筒のズームレンズ群（変倍系レンズ群）のように、レンズ群の口径が固定筒の内径と比較してある程度小さい場合、そのレンズ群のレンズ枠は、レンズ群を内部に保持するための円筒部と、円筒部の外側を通過する光の遮断等のための円環状の円環面を備えている。その円環面には、反射によるゴースト等の発生を防止するため、また、被写体側からレンズを介して視認できる場合には意匠的な効果を奏する遮光板（化粧板）が取り付けられている。
【先行技術文献】
【特許文献】
【０００５】
【特許文献１】特開２００１−１０００７６号公報
【特許文献２】特開平９−８０２９２号公報
【特許文献３】特開平１１−２０２１８４号公報
【発明の概要】
【発明が解決しようとする課題】
【０００６】
ところで、特許文献２、３の変倍系レンズ群の前段にはフォーカス調整のために光軸方向に移動可能に配置される移動フォーカスレンズ群が配置されている。そして、レンズ鏡筒の小型化のため、移動フォーカスレンズ群を最も後側の位置に設定し、変倍系レンズ群を最も前側の位置に設定した最近接状態では、移動フォーカスレンズ群の後面（最後段のレンズの背面）中心と変倍系レンズ群の前面（最前段のレンズの前面）中心とが例えば１ｍｍ未満の僅かな隙間しかない状態まで近接する。
【０００７】
そのため、レンズ鏡筒に衝撃を加えてしまった場合などに、移動フォーカスレンズ群の後面中心と、変倍系レンズ群の前面中心とが衝突し、レンズ中心付近に傷などの損傷が生じてしまうおそれがあった。この場合、像に影響が生じてしまうため損傷したレンズを交換するなど高額な修理が必要となる問題があった。
【０００８】
また、レンズ枠は、軽量化、低コスト化等のためプラスチックにより形成されることが多く、レンズ枠内にレンズ群を構成する複数のレンズを順に挿入して固定する際に、最後に挿入する最前段のレンズをレンズ枠に固定する方法として熱カシメが用いられる場合がある。この場合に、最前段のレンズを固定するときにレンズ枠の円筒部の前端に生じた熱カシメの跡が残る。通常、上記の化粧板（遮光板）はレンズ枠の円環面のみに取り付けられ、円筒部がそのフランジ部より前方に突出している場合には円筒部の前端が化粧板で遮光されないため、その部分での光の反射でゴースト等が発生するという問題があった。
【０００９】
更に、レンズ枠の円筒部が円環面より前方に突出している場合、そのレンズ枠のレンズよりも前段のレンズ群により集光した光によって円筒部の前端に焦げ跡が発生し、美観を損ねるという問題もあった。
【００１０】
本発明はこのような事情に鑑みてなされたもので、変倍レンズ群を保持するレンズ枠が光軸と直交する円環状の円環面よりも前方に突出した円筒部を備え、その円筒部内にレンズを保持する構造の場合に、レンズ枠の円環面に取り付けられる化粧板（遮光板）を利用して、そのレンズ枠のレンズと、そのレンズよりも前段側のフォーカス光学系のレンズとのレンズ同士の衝突を確実に防止することができると共に、レンズ枠の円筒部の前端への集光による焦げ跡の発生を防止することにより美観が損なわれないようにすることができ、また、レンズ枠にレンズを熱カシメにより固定する場合にその熱カシメの跡によるゴースト等の発生を防止することができるレンズ鏡筒を提供することを目的とする。
【課題を解決するための手段】
【００１１】
前記目的を達成するために、請求項１に係るレンズ鏡筒は、前段にフォーカス光学系のレンズが配置される変倍系レンズ群を保持すると共に、固定筒内で光軸方向に移動可能に支持されたレンズ枠であって、光軸に直交する円環状の円環面と、該円環面よりも光軸方向の被写体側となる前側に突出した円筒状の円筒部とを有し、前記円筒部内にレンズを保持するレンズ枠と、前記円環面に配置される遮光性を有する化粧板とを備えたレンズ鏡筒において、前記化粧板は、前記レンズ枠の円環面に配置される円環状の円環枠部と、前記円環枠部から延設され、前記レンズ枠の円筒部の外周面を覆う円筒枠部と、前記円筒枠部から前記円筒枠部の中心軸側に向けて延設され、前記円筒部の前端よりも被写体側において光軸と略直交する方向に配置される円環状の前端枠部と、を備え、前記化粧板の前端枠部は、前記レンズ枠に保持されるレンズの最も被写体側に配置される第１レンズ面と、該第１レンズ面よりも被写体側に配置される前記フォーカス光学系のレンズの凹状の第２レンズ面との最小となる光軸方向の間隔よりも、前記化粧板の前端枠部と前記第２レンズ面との光軸方向の間隔が狭くなる位置に配置されること、を特徴としている。
【００１２】
本発明によれば、レンズ鏡筒への強い衝撃により、レンズ枠に保持された変倍系レンズ群のレンズと、その前段のフォーカス光学系のレンズとが衝突するような事態が生じた場合でも、化粧板の前端枠部が前段のレンズ（第２レンズ面）に先に衝突するため、レンズ同士の衝突が確実に防止される。そのため、レンズに傷等の損傷が生じるという事態が軽減される。特にレンズ同士が一点で衝突するような場合にはレンズに損傷が生じる可能性が高いが、化粧板の前端枠部が前段のレンズに衝突する場合には円状に分散した位置でレンズに接触するため、レンズの損傷は生じ難い。もし、化粧板の前端枠部の衝突によりレンズに傷が生じたとしても、前端枠部の半径分、レンズの中心から外れた位置に生じるため、像への影響は少なく軽微な損傷として処理することができる。
【００１３】
請求項２に係るレンズ鏡筒は、請求項１に係る発明において、前記円筒枠部と前記前端枠部との連結部分は、曲面形状で形成されたことを特徴としている。
【００１４】
本発明は、化粧板の前端枠部がレンズに衝突した場合に、前端枠部がよりレンズに損傷を与え難い形状とした態様である。
【００１５】
請求項３に係るレンズ鏡筒は、請求項１、又は、２に係る発明において、前記レンズ枠に保持される最も被写体側のレンズは、前記レンズ枠の前端における熱カシメにより前記レンズ枠に固定され、該熱カシメの部分に入射する光が前記化粧板の前端枠部により遮断されることを特徴としている。
【００１６】
本発明は、レンズ枠にレンズが熱カシメにより固定される場合であり、そのとき生じる熱カシメの跡が化粧板の前端枠部により覆われて光が当たらないため、熱カシメの跡での反射によってゴースト等が発生する不具合が防止される。
【００１７】
請求項４に係るレンズ鏡筒は、請求項１、２、又は、３に係る発明において、前記化粧板は、前記円環枠部の後面と前記レンズ枠の円環面とを接着剤又は両面テープにより接着することにより前記レンズ枠に装着されることを特徴としている。
【００１８】
本発明によれば、化粧板をレンズ枠に装着するためにネジ等の外部から視認可能な手段を使用しないため、美観が損なわれることなく化粧板をレンズ枠に装着することができる。
【発明の効果】
【００１９】
本発明によれば、変倍系レンズ群を保持するレンズ枠が光軸と直交する円環状の円環面よりも前方に突出した円筒部を備え、その円筒部内にレンズを保持する構造の場合に、レンズ枠の円環面に取り付けられる化粧板（遮光板）を利用して、そのレンズ枠のレンズと、そのレンズよりも前段側のフォーカス光学系のレンズとのレンズ同士の衝突を確実に防止することができると共に、レンズ枠の円筒部の前端への集光による焦げ跡の発生を防止することにより美観が損なわれないようにすることができる。また、レンズ枠にレンズを熱カシメにより固定する場合にその熱カシメの跡によるゴースト等の発生を防止することができる。
【図面の簡単な説明】
【００２０】
【図１】本発明が適用されるレンズ鏡筒全体を一部断面で示した側面図。
【図２】中央固定筒、カム筒、ズームリングを分解して示した分解斜視図。
【図３】変倍系レンズ群とそのレンズ枠を拡大して示した断面図。
【図４】中央固定筒に配置された変倍系レンズ群及びそのレンズ枠を斜め前方から示した斜視図。
【図５】レンズ枠に取り付けられる化粧板を示した斜視図。
【発明を実施するための形態】
【００２１】
以下、添付図面に従って本発明に係るレンズ鏡筒を実施するための形態を詳述する。
【００２２】
図１は、本発明が適用されるレンズ鏡筒全体を一部断面で示した側面図である。同図のレンズ鏡筒１０は、主に放送用又は業務用として取材等において携帯されて使用されるＥＮＧ(Electric News Gathering)カメラと呼ばれるレンズ交換式のカメラ装置にマウントにより装着されるインナーフォーカス式のレンズ鏡胴である。
【００２３】
レンズ鏡筒１０は、ネジなどにより連結されて一体化された不動の固定筒１１を有し、その固定筒１１は、主として中央部の中央固定筒１２と、中央固定筒１２に固定されて前側に配置された前側固定筒１４と、中央固定筒１２に固定されて後側に配置された後側固定筒１６とを有している。
【００２４】
固定筒１１の内部には被写体光を取り込んで結像する光学系が配置されており、光学系は、周知のように光軸に沿って前段側（光軸方向被写体側）からフォーカス光学系２０、ズーム光学系２２、アイリス２４、マスター光学系２６を有している。
【００２５】
フォーカス光学系２０は、ピントを合わせる被写体距離、即ち、焦点位置を調整（フォーカス調整）するための光学系であり、一定位置に固定された固定フォーカスレンズ群２０Ａと光軸方向に前後移動可能に支持された移動フォーカスレンズ群２０Ｂとからなる。移動フォーカスレンズ群２０Ｂが移動することにより焦点位置が変化する。
【００２６】
ズーム光学系２２は、ズーム倍率、即ち、焦点距離を調整するための光学系であり、光軸方向に前後移動可能に支持された変倍系レンズ群２２Ａと補正系レンズ群２２Ｂとからなる。変倍系レンズ群２２Ａが移動することによって焦点距離が変化し、補正系レンズ群２２Ｂが移動することによって変倍系レンズ群２２Ａの移動による焦点位置の変化が抑止される。変倍系レンズ群２２Ａと補正系レンズ群２２Ｂとは後述のカム筒３０のカム機構によって予め決められた位置関係に従って連動して移動する。
【００２７】
アイリス２４は、光量調整のために絞り羽根を開閉動作させて開口径を変化させる。
【００２８】
マスター光学系２６は、最終的に像を結像させるための光学系であり、前側マスターレンズ群２６Ａと後側マスターレンズ群２６Ｂとからなる。前側マスターレンズ群２６Ａは一定位置に固定され、後側マスターレンズ群２６Ｂは、バックフォーカス調整等のために光軸に沿って移動可能に支持されている。
【００２９】
一方、固定筒１１には、上記移動可能に支持された移動フォーカスレンズ群２０Ｂ、ズーム光学系２２（変倍系レンズ群２２Ａ及び補正系レンズ群２２Ｂ）、アイリス２４、後側マスターレンズ群２６Ｂの各々を駆動するためのフォーカス駆動機構、ズーム駆動機構、アイリス駆動機構、マスター駆動機構が設けられている。
【００３０】
詳細を後述するズーム駆動機構以外の駆動機構の詳細については省略するが，固定筒１１の外周部にはフォーカスリング４０、ズームリング４２、アイリスリング４４、バックフォーカス調整リング４６が回動可能に配置されており、フォーカス駆動機構は、フォーカスリング４０の回動力によって移動フォーカスレンズ群２０Ｂが光軸方向に前後移動するように構成され、ズーム駆動機構は、ズームリング４２の回動力によってズーム光学系２２が光軸方向に前後移動するように構成され、アイリス駆動機構は、アイリスリング４４の回動力によってアイリス２４の開閉動作するように構成され、マスター駆動機構は、バックフォーカス調整リング４６の回動力によって後側マスターレンズ群２６Ｂが光軸方向に前後移動するように構成されている。
【００３１】
続いて，上記ズーム駆動機構について説明する。ズーム駆動機構は、主として中央固定筒１２、カム筒３０、ズームリング４２を使用して構成されており、図２に中央固定筒１２、カム筒３０、ズームリング４２を分解して示した分解斜視図を示す。
【００３２】
図１に示されているようにズーム光学系２２の変倍系レンズ群２２Ａと補正系レンズ群２２Ｂは、各々、レンズ枠５０、５２により一体的に保持されており、レンズ枠５０、５２には各々、カムピン５４、５６が周方向に略等角度間隔で３つずつ径方向外向きに突出した状態で固定されている。
【００３３】
一方、中央固定筒１２の内周面には、図２に示すように変倍系レンズ群２２Ａのレンズ枠５０の各々のカムピン５４が嵌入する３つの直進溝６０（１つのみ図示）と、補正系レンズ群２２Ｂのレンズ枠５２の各々のカムピン５６が嵌入する３つの直進溝６２（１つのみ図示）とが、光軸方向に形成されており、各々のカムピン５４、５６が直進溝６０、６２に嵌入した状態に配置されることによって、変倍系レンズ群２２Ａと補正系レンズ群２２Ｂとが中央固定筒１２の内部に支持されると共に、光軸周りの回転が規制された状態で光軸方向に移動可能に支持されている。
【００３４】
一方、カム筒３０には、変倍系レンズ群２２Ａの各カムピン５４が挿通する３つのカム溝（内周面から外周面まで貫通した孔）３０Ａと、補正系レンズ群２２Ｂの各カムピン５６が挿通する３つのカム溝（内周面から外周面まで貫通した孔）３０Ｂが形成されている。
【００３５】
変倍系レンズ群２２Ａの各カムピン５４が挿通する３つのカム溝３０Ａは、光軸方向の同一位置範囲における周方向の異なる３箇所の位置に、同一形状の曲線に沿って形成されており、変倍系レンズ群２２Ａの各カムピン５４は、各カム溝３０Ａを挿通して中央固定筒１２の各直進溝６０に嵌入した状態に配置される。
【００３６】
同様に、補正系レンズ群２２Ｂの各カムピン５６が挿通する３つのカム溝３０Ｂは、光軸方向の同一位置範囲における周方向の異なる３箇所の位置に、同一形状の曲線に沿って形成されており、補正系レンズ群２２Ｂの各カムピン５６は、各カム溝３０Ｂを挿通して中央固定筒１２の各直進溝６２に嵌入した状態に配置される。
【００３７】
これにより、カム筒３０が中央固定筒１２内で光軸を回転軸として回動すると、中央固定筒１２の各直進溝６０とカム筒３０の各カム溝３０Ａとの交差位置と、中央固定筒１２の各直進溝６２とカム筒３０の各カム溝３０Ｂとの交差位置とが光軸方向に変化して、その交差位置に変倍系レンズ群２２Ａの各カムピン５４と補正系レンズ群２２Ｂの各カムピン５６とが移動する。従って、カム筒３０の回転位置に対して変倍系レンズ群２２Ａと補正系レンズ群２２Ｂがカム溝３０Ａ、３０Ｂの曲線形状によって決められた位置に移動すると共に、変倍系レンズ群２２Ａと補正系レンズ群２２Ｂとがカム溝３０Ａ、３０Ｂの形状によって決められた位置関係に従って移動する。
【００３８】
また、カム筒３０にはネジ孔３０Ｃが形成されており、そのネジ孔３０Ｃに駆動ピン７０のネジ部７０Ａが噛合され、カム筒３０の外周面から径方向外向きに駆動ピン７０が突設されるようになっている。中央固定筒１２には、外周面から内周面まで貫通する周方向の長溝７２が形成されており、駆動ピン７０はその長溝７２を挿通した状態に配置されるようになっている。これにより、駆動ピン７０が長溝７２を挿通する範囲内でカム筒３０が回動するようになっている。
【００３９】
ズームリング４２は、中央固定筒１２の後端側の外周部に回動可能に嵌め込まれる。図２に示すようにズームリング４２には外周面から内周面まで貫通する長孔８０が形成されている。そして、カム筒３０に固定されて中央固定筒１２の長溝７２を挿通した駆動ピン７０の先端部分がこの長孔８０に挿入された状態となり、駆動ピン７０と長孔８０とが周方向に係合する。
【００４０】
以上の構成により、ズームリング４２が回動すると、これに伴って駆動ピン７０が光軸周りに回動してカム筒３０が中央固定筒１２内で回動する。そして、そのカム筒３０の回動によって上記のように変倍系レンズ群２２Ａと補正系レンズ群２２Ｂが光軸方向に移動する。
【００４１】
次に、上記ズーム光学系２２の変倍系レンズ群２２Ａのレンズ枠５０及びその前面側に装着される化粧板について説明する。図３は、上記変倍系レンズ群２２Ａとそのレンズ枠５０を拡大して示した断面図であり、図４は、中央固定筒１２内に配置された変倍系レンズ群２２Ａ及びレンズ枠５０を斜め前方から見たときの斜視図である。
【００４２】
図３に示すように、変倍系レンズ群２２Ａは、前段側から後段側に向けて口径が小さくなる４枚のレンズ１００、１０２、１０４、１０６により構成されている。レンズ１０４とレンズ１０６の口径は略等しい。
【００４３】
変倍系レンズ群２２Ａを保持するレンズ枠５０は、例えばプラスチックにより形成されており、保持する各レンズの口径に合わせて内径が異なる３つの円筒状の円筒部を有し、レンズ１００を保持する円筒部１１０と、レンズ１０２を保持する円筒部１１２と、レンズ１０４、１０６を保持する円筒部１１４とを備えている。円筒部１１２と円筒部１１４とは前後に連結され、円筒部１１０は、内部の後端側に円筒部１１２を収容する状態で径方向（光軸に直交する方向）に立設された円環状の連結部１１６により円筒部１１２、１１４と連結されている。
【００４４】
また、レンズ枠５０の円筒部１１０の後端付近の外周面には、径方向外向きに円環状のフランジ部１１８が突出形成され、そのフランジ部１１８はカム筒３０内周面と円筒部１１０外周面との間の隙間を略遮蔽するようにして配置されている。尚、円筒部１１０、１１２、１１４、連結部１１６、フランジ部１１８は一体形成されている。
【００４５】
フランジ部１１８の後面側には、脚部材１２０が装着され、その脚部材１２０に上記のようにカム筒３０のカム溝３０Ａを挿通して中央固定筒１２の直進溝６０に係合するカムピン５４が取り付けられている。
【００４６】
レンズ枠５０内に変倍系レンズ群２２Ａを収容保持させた状態に組み立てる際には、後側のレンズ１０６から順に各々を保持する円筒部内に嵌入され、最後に最前段のレンズ１００が円筒部１１０に嵌入される。そして、そのレンズ１００の外縁部が円筒部１１０の前端縁に熱カシメにより固着されるようになっている。尚、レンズ１００以外のレンズ１０２〜１０６を円筒部内に固定する方法は特定の方法に限定されない。
【００４７】
一方、レンズ枠５０の前面側には、例えば金属で形成された図５に示すような化粧板１３０が取り付けられている。この化粧板１３０は、フランジ部１１８の前面と、フランジ部１１８よりも前側となる円筒部１１０の外周面及び前端部とを覆うようにレンズ枠５０の形状に合わせて（沿うように）形成されており、フランジ部１１８の前面に沿って配置される円環状のフランジ部１３２と、円筒部１１０の外周面に沿って配置され、フランジ部１３２から前方（光軸方向前側）に延設された円筒状の円筒部１３４と、円筒部１１０の前端の前側に径方向（光軸に直交する方向）に立設され、円筒部１３４の前端から延設された円環状の前端部１３６と、中央の開口部１３８とから形成されている。
【００４８】
そして、化粧板１３０の前面（フランジ部１３２の前面と、これに連通する円筒部１３４の外周面及び前端部１３６の前面）には、遮光処理が施されると共に黒色に塗装されており、化粧板１３０での光の反射が防止されている。
【００４９】
また、化粧板１３０のフランジ部１３２には、中心に対して対称となる２箇所の位置に位置決め孔１４０、１４０が形成されると共に、外側の周縁部分に略等角度間隔でＵ字状に切り欠かれた３つの係合孔１４２、１４２、１４２が形成されている。これらは図４のようにレンズ枠５０のフランジ部１１８の前面に突出形成された位置決めピン１５０、１５０と係合突部１５２、１５２、１５２に対応して設けられたもので、レンズ枠５０の位置決めピン１５０、１５０及び係合突部１５２、１５２、１５２と一致した位置関係で配置されると共に略一致した形状を有している。
【００５０】
上記のようにレンズ枠５０内に変倍系レンズ群２２Ａを収容保持させた状態に組み立てた後、レンズ枠５０の位置決めピン１５０、１５０と係合突部１５２、１５２、１５２が化粧板１３０の位置決め孔１４０、１４０と係合孔１４２、１４２、１４２に嵌合するように化粧板１３０がレンズ枠５０の前側から被せられることにより、図４のように化粧板１３０がレンズ枠５０の前面側に前面全体を覆うようにして装着される。これにより、レンズ枠５０の前面が化粧板１３０により覆われると共に、カム筒３０内の変倍系レンズ群２２Ａのレンズ１００以外の略全域が化粧板１３０により遮蔽された状態となる。尚、化粧板１３０をレンズ枠５０に装着する際には、化粧板１３０のフランジ部１３２の後面側又はレンズ枠５０のフランジ部１１８の前面側に両面テープが接着され、又は、接着剤が塗布されて、レンズ枠５０への化粧板１３０の固定状態が強化されている。
【００５１】
以上のようにレンズ枠５０の前面に装着される化粧板１３０によれば、レンズ枠５０の前面の位置に入射する光線、即ち、変倍系レンズ群２２Ａを通過する有効光線以外の光線が化粧板１３０により遮蔽され、有効光線以外の光線によるゴーストやフレア等の発生が防止されている。特に、従来の化粧板はレンズ枠５０のフランジ部１１８のみに配置されており、レンズ枠５０の前端部分（円筒部１１０の前端部分）は露出した状態（光線が入射する状態）となっている。一方、上記のようにレンズ枠５０の最前段のレンズ１００は熱カシメにより固定され、その熱カシメの跡がレンズ枠５０の前端部分に残るため、そのカシメ跡の部分で特に光の反射が生じ易くゴースト等を発生させる原因となっている。これに対して本実施の形態の化粧板１３０では、化粧板１３０をフランジ部１３２から前端部１３６まで延設し、レンズ枠５０の前端部分の前方に化粧板１３０の前端部１３６が配置されるようにしてレンズ枠５０の前端部分に入射する光を遮断しているため、カシメ跡によるゴースト等の発生も防止されている。
【００５２】
また、従来の化粧板では、レンズ枠５０の露出していた前端部分に光が集光し、焦げ跡が生じてしまう場合がある。レンズ枠５０の前面はレンズ鏡筒１０の前方外側から視認可能なため、その焦げ跡が美観を損ねるという問題があったが、本実施の形態の化粧板１３０は、レンズ枠５０の前面全体を覆うため、そのような焦げ跡を生じさせることがなく、焦げ跡により美観を損ねるという問題も解消されている。そして、化粧板１３０をネジ等を使用しないでレンズ枠５０に装着するようにしているため化粧板１３０自体が美観を損ねることはなく、黒色などの統一色によってまた後段の部材を隠すことによって全体として美観の向上が図られている。
【００５３】
更に、図１に示されているように、変倍系レンズ群２２Ａが最も前側となる位置に設定され、移動フォーカスレンズ群２０Ｂが最も後側となる位置に設定されている状態では、変倍系レンズ群２２Ａの前面と、変倍系レンズ群２２Ａの前段の移動フォーカスレンズ群２０Ｂの後面とが近接した状態となる。即ち、変倍系レンズ群２２Ａの最前段のレンズ１００の前面（凸面）と、移動フォーカスレンズ群２０Ｂの最後段のレンズ２００の後面（凹面（前向きの凸状の面））とが近接した状態となり、それらの間隔はレンズ１００、２００の光軸（中心）位置において最も狭く１ｍｍ未満となる。
【００５４】
一方、レンズ枠５０の前面に取り付けられた化粧板１３０の前端部１３６は、レンズ枠５０の円筒部１１０の前端よりも前方に突出した位置に配置されると共に、変倍系レンズ群２２Ａと移動フォーカスレンズ群２０Ｂの上記の配置条件において、化粧板１３０の前端部１３６がレンズ２００の後面の対向位置に対して光軸位置におけるレンズ間の間隔よりも狭くなる位置まで近接するように化粧板１３０の円筒部１３４の前後方向の長さが設計されている。
【００５５】
これによれば、衝撃等によって変倍系レンズ群２２Ａが設計上の限界位置よりも前側に変位した場合や移動フォーカスレンズ群２０Ｂが設計上の限界位置よりも後側に変位した場合でも、レンズ１００とレンズ２００とが光軸中心の位置で衝突する前に化粧板１３０の前端部１３６がレンズ２００の中心から大きくずれた位置で衝突するため、レンズ１００とレンズ２００のレンズ同士の衝突が防止される。そして、化粧板１３０の前端部１３６はレンズ２００の後面との衝突の際に１点で接触するのではなく、円状に分散した位置で接触し、また、弾性変形するため、レンズ２００に傷が付き難く、レンズ１００には全く傷が付かないようになっている。更に、図３、図５に示すように前端部１３６と円筒部１３４との境界がＲ形状（曲面状）で形成されているため、前端部１３６と円筒部１３４との境界の角となる部分でレンズ２００に損傷を与えることも確実に防止されている。それにもかかわらず化粧板１３０の前端部１３６が衝突してレンズ２００に傷が付いてしまった場合でも、レンズ２００の光軸から大きくずれた位置に生じる傷であるため、大きなダメージとはならない。尚、化粧板１３０の前端部１３６がレンズ２００の後面により確実に損傷を与えないようにするために、前端部１３６が衝突する位置のレンズ２００の面形状と面の向きと略一致するように前端部１３６の面形状と面の向きを形成し、前端部１３６がレンズ２００と確実に大きな面で接触するようにするとより好適である。
【００５６】
以上、上記実施の形態のように本発明は、上記実施の形態のレンズ枠５０の円筒部１１０とフランジ部１１８と同様に、レンズ枠が光軸と略直交する円環状の円環面（レンズ枠５０のフランジ部１１８の前面に相当）と、それよりも前側に突出した円筒部（レンズ枠５０の円筒部１１０に相当）とを有し、円環面に化粧板を配置する場合において適用でき、その化粧板を円筒部の前端まで延設すればよい。そして、そのレンズ枠内のレンズの前面（最前段のレンズの前面）が、それよりも前段側のレンズの後面に近接し、レンズ鏡筒への衝撃等によってレンズ同士が衝突する可能性がある場合には、化粧板の前端部（レンズ枠５０の前端部１３６に相当）と、前段側のレンズの後面との光軸方向の間隔が、レンズ枠内のレンズの前面と前段側のレンズの後面との光軸方向の間隔のうち最小の間隔よりも狭くなるように、化粧板の前端部が配置される位置を設定すればよい。尚、レンズ枠内のレンズの前面と前段側のレンズの後面との光軸方向の間隔が最小となる位置はそれらのレンズの面形状によって異なり上記実施の形態のように光軸位置が最小の間隔になるとは限らない。
【符号の説明】
【００５７】
１０…レンズ鏡筒、１１…固定筒、１２…中央固定筒、１４…前側固定筒、１６…後側固定筒、２０…フォーカス光学系、２２…ズーム光学系、２４…アイリス、２６…マスター光学系、２０Ａ…固定フォーカスレンズ群、２０Ｂ…移動フォーカスレンズ群、２２Ａ…変倍系レンズ群、２２Ｂ…補正系レンズ群、２６Ａ…前側マスターレンズ群、２６Ｂ…後側マスターレンズ群、３０…カム筒、３０Ａ、３０Ｂ…カム溝、３０Ｃ…ネジ孔、４０…フォーカスリング、４２…ズームリング、４４…アイリスリング、４６…バックフォーカス調整リング、７０…駆動ピン、７０Ａ…ネジ部、７２…長溝、８０…長孔、５０、５２…レンズ枠、５４、５６…カムピン、１００、１０２、１０４、１０６、２００…レンズ、１１０、１１２、１１４…円筒部、１１６…連結部、１１８…フランジ部、１２０…脚部材、１３０…化粧板、１３２…フランジ部、１３４…円筒部、１３６…前端部、１３８…開口部、１４０…位置決め孔、１４２…係合孔、１５０…位置決めピン、１５２…係合突部
【図１】
0005562732.tif 000002
【図２】
0005562732.tif 000003
【図３】
0005562732.tif 000004
【図４】
0005562732.tif 000005
【図５】
0005562732.tif 000006